(57)【要約】【課題】コンデンサ設備の放電装置に使用される放電コイルは、コンデンサ開放時には直流分により飽和してリアクタンスは小さくなるが、零とはならないために残留電圧の放電には時間を要している。【解決手段】電磁接触器で放電装置を構成し、コンデンサの開放時にコンデンサ端子間を短絡することで放電時間を短縮する。また、主回路の開閉器と電磁接触器との相互の開閉は、２個のタイマーによって確認しながら切換えを実施しているので、主回路電源の短絡を確実に防止できるものである【選択図】　図１
2004096864.tif 000002
【特許請求の範囲】
【請求項１】
三相の電源とは開閉器，直列リアクトルを介してコンデンサを接続し、このコンデンサの電源からの開放時に残留電圧を放電する放電装置において、
前記コンデンサの各端子側に一端がそれぞれ接続され、且つ、他端は共通に接続された電磁接触器にて放電装置を構成し、前記開閉器の開路時に前記電磁接触器を閉路状態とすることを特徴としたコンデンサの放電装置。
【請求項２】
前記開閉器と電磁接触器との開閉は、相互のインターロックと切り確認手段を設けたことを特徴とした請求項１記載のコンデンサの放電装置。
【請求項３】
前記開閉器の投入は、電磁接触器が開路状態で、且つ、開閉器投入指令があったときに動作する第１のタイマーの所定時限後に投入され、前記電磁接触器の投入は、開閉器が開路状態となったときに動作する第２のタイマーの所定時限後に投入されることを特徴とした請求項１又は２記載のコンデンサの放電装置。
【請求項４】
前記電磁接触器は外箱内に収納され、この外箱の扉に前記第１，第２のタイマーを配設したことを特徴とした請求項１乃至３記載のコンデンサの放電装置。
【発明の詳細な説明】
【０００１】
【発明の属する技術分野】
本発明は、コンデンサの放電装置に関するものである。
【０００２】
【従来の技術】
図５は従来のコンデンサ設備の構成図を示したもので、ＤＣ（ＤＣ１，ＤＣ２，ＤＣ３）は三相の各相間にそれぞれ接続されたコンデンサで、各コンデンサの橋絡点と電源間にはそれぞれ直列に直列リアクトルＳＲ（ＳＲ１，ＳＲ２，ＳＲ３）が接続されている。ＤＣは放電コイルよりなるコンデンサの放電装置で、各相間に接続された放電コイルＤＣ１，ＤＣ２，ＤＣ３にて構成されている。５２Ｃは開閉器（電磁接触器）である。
【０００３】
放電装置は、保守上の安全性を確保すると共に、再投入時の過渡現象を必要以上に過酷としない目的でコンデンサ解放時の残留電圧を放電させる。
この放電装置は、放電コイルや放電抵抗が用いられるが、一般には、残留電圧を急激に放電させるためには図５で示すような放電コイルＤＣが用いられている。放電コイルＤＣは、常時は高リアクタンスとなっているが、コンデンサＳＣの開放時には直流分によって飽和し、見かけのリアクタンスは常時におけるリアクタンス分の約１／１００程度となっている。
また、放電コイルを使用した場合、規定（ＪＩＳ　Ｃ　４９０２）によりコンデンサ開放後５秒以内に残留電圧を５０Ｖ以下に下げることが定められている
【０００４】
【発明が解決しようとする課題】
コンデンサの放電装置として、放電コイルを用いた場合、コンデンサ開放時には直流成分によりリアクタンスは常時の１／１００程度には下がるが、しかし、零にはなってないために、前述の規定は満たしているもののコンデンサ開放後の残留電圧の放電時間が遅いものとなっている。
また、放電コイルは価格的にも高く、且つ、大形となる等の問題を有している。
【０００５】
本発明が目的とするところは、放電時間が速く、小形で価格的にも安い放電装置を提供することにある。
【０００６】
【課題を解決するための手段】
本発明の第１は、三相の電源とは開閉器，直列リアクトルを介してコンデンサを接続し、このコンデンサの電源からの開放時に残留電圧を放電する放電装置において、
前記コンデンサの各端子側に一端がそれぞれ接続され、且つ、他端は共通に接続された電磁接触器にて放電装置を構成し、前記開閉器の開路時に前記電磁接触器を閉路状態とすることを特徴としたものである。
【０００７】
本発明の第２は、前記開閉器と電磁接触器との開閉は、相互のインターロックと切り確認手段を設けたことを特徴としたものである。
【０００８】
本発明の第３は、前記開閉器の投入は、電磁接触器が開路状態で、且つ、開閉器投入指令があったときに動作する第１のタイマーの所定時限後に投入され、前記電磁接触器の投入は、開閉器が開路状態となったときに動作する第２のタイマーの所定時限後に投入されることを特徴としたものである。
【０００９】
本発明の第４は、前記電磁接触器は外箱内に収納され、この外箱の扉に前記第１，第２のタイマーを配設したことを特徴としたものである。
【００１０】
【発明の実施の形態】
図１は、本発明の実施形態を示すもので、放電装置として図５の放電コイルに代えて電磁接触器Ｓ１〜Ｓ３よりなる放電装置５２ＤＲとしたものである。この放電装置５２ＤＲは、電磁接触器Ｓ１〜Ｓ３の各一端を共通に接続し、各他端は三相の各相にそれぞれ接続されて構成される。
【００１１】
図２は放電装置の制御回路を示したものである。なお、同図において、一点鎖線で囲んだ部分はコンデンサの放電装置以外に設置されている機器を示す。
１はコンデンサＳＣの入り切りを指令するための指令スイッチで、コンデンサＳＣを電源に接続するため指令スイッチ１を投入すると補助リレー２のコイルＸが付勢され、その常開接点Ｘ１，Ｘ２を閉路し、常閉接点Ｘ３を開路状態とする。
【００１２】
３は放電装置の切り状態確認用のタイマーで、補助リレー２の動作に伴う接点Ｘ１が閉路したとき放電装置の電磁接触器５２ＤＲの常閉接点５２ＤＲ１，接点さ１を介して付勢されたときタイマー３は動作を開始する。
タイマー３は、予め設定された時限Ｔ１後にその接点Ｔ１を閉路状態とし、これによって接点Ｔ１，接点Ｘ２及び電磁接触器６の常閉接点５２ＤＲ２を介して開閉器（電磁接触器）５２Ｃを投入してコンデンサＳＣを電源に接続した状態を維持する。
【００１３】
次に、コンデンサＳＣを開放するために指令スイッチ１を開路状態とすると、補助リレーＸは消勢されてその常開接点Ｘ２が開路し、開閉器４（５２Ｃ）を開路状態とする。これと同時に常開接点Ｘ３を開路し、開閉器４の常閉接点５２Ｃが閉じられたことを条件にタイマー５が動作を開始する。タイマー５は開閉器５２Ｃの切り確認用で予め時限Ｔ２に設定されており、その設定時限Ｔ２後に接点Ｔ２が閉路状態となって電磁接触器６（５２ＤＲ）が動作し、図１のＳ１〜Ｓ３が投入されてコンデンサＳＣの端子間が短絡され、残留電圧は急激に低下する。
【００１４】
図３は、上述した指令スイッチ１，開閉器５２Ｃ及び放電装置（電磁接触器）５２ＤＲの動作タイムチャートで、開閉器５２Ｃと電磁接触器５２ＤＲとは相互の開閉時には、それぞれ相手側の常開の補助接点によってインターロックが取られ、しかも、第１，第２のタイマー３，５によって確認されているので主回路の短絡は防止される。
【００１５】
図４は放電装置５２ＤＲの外観図で、１０は金属製の板よりなる外箱、１１は収納部で三相分の電磁接触器が収納されている。この収納部１１の一側には主回路用の三相ケーブル１２の一端が導入され、他側には三相分の各電磁接触器の他端を短絡するための短絡導体１３が取り付けられている。
外箱１０の扉１０ａには、図２で示す制御回路用の部品，すなわち、補助リレー２とタイマー３と５が配設されている。１４は制御回路用の端子台で、外部とは制御用のケーブルを介して接続されている。
【００１６】
【発明の効果】
以上のとおり、本発明によれば、放電装置を電磁接触器で構成し、電源からのコンデンサ開放時にこの電磁接触器を介してコンデンサ端子を短絡するものである。これによって、残留電圧の放電時間を短縮することが可能となると共に、電磁接触器は放電コイルと比較して安価であり、且つ、小形な放電装置が得られる効果を有する。
また、主回路の開閉器と電磁接触器との相互の開閉は、２個のタイマーによって確認しながら切換えを実施しているので、主回路電源の短絡を確実に防止できるものである。
【図面の簡単な説明】
【図１】本発明の実施形態を示す構成図。
【図２】本発明の制御回路の構成図。
【図３】制御回路のタイムチャート図。
【図４】本発明の外観図。
【図５】従来のコンデンサ設備の構成図。
【符号の説明】
１…指令スイッチ
２…補助リレー
３…第１のタイマー
４（５２Ｃ）…開閉器
５…第２のタイマー
６（５２ＤＲ）…電磁接触器（放電装置）
１０…外箱
１１…収納部
１３…短絡用導体
１４…端子台
ＳＣ…コンデンサ
ＳＲ…直列リアクトル
【図１】
2004096864.tif 000003
【図２】
2004096864.tif 000004
【図３】
2004096864.tif 000005
【図４】
2004096864.tif 000006
【図５】
2004096864.tif 000007